(57)【特許請求の範囲】
【請求項１】
建物内空間として第１空間部と第２空間部と第３空間部とが設けられ、前記第１空間部と第２空間部との人の行き来を可能とする出入口にドアが設けられ、前記第１空間部と前記第３空間部とは同じ階に配置され、前記第２空間部が、前記第１空間部から前記第３空間部に通じる廊下と、前記第１空間部及び前記第３空間部の間において前記廊下から分岐して設けられた階段とを有している建物に適用され、
前記廊下から前記階段に繋がる分岐口に設けられ、それら廊下と階段との間の空気の流れを制限する通気制限手段と、
前記第１空間部と前記廊下との温度差を算出する温度差算出手段と、
前記温度差算出手段により算出された温度差が所定の温度差判定値より大きい場合に前記通気制限手段を通気制限状態にする通気制限制御手段と
を備えていることを特徴とする建物の温度調整システム。
【請求項２】
前記第１空間部の空調を行う第１空調装置を備え、
前記通気制限制御手段は、前記第１空調装置により前記第１空間部の空調が行われている場合に、前記温度差算出手段により算出された温度差に基づいて前記通気制限手段を前記通気制限状態にすることを特徴とする請求項１に記載の建物の温度調整システム。
【請求項３】
前記第２空間部のうち前記廊下の空調を行う第２空調装置を備え、
前記通気制限手段は、前記第２空間部に設けられた空間仕切装置であり、該第２空間部を前記廊下と前記階段とに仕切ることを特徴とする請求項１又は２に記載の建物の温度調整システム。
【請求項４】
前記通気制限制御手段は、あらかじめ定めた夜間時間帯において、前記温度差算出手段により算出された温度差に基づいて前記通気制限手段に前記第２空間部を仕切らせることを特徴とする請求項１乃至３のいずれか１項に記載の建物の温度調整システム。
【請求項５】
前記第１空間部からの人の行き先を予測する予測手段を備え、
前記通気制限制御手段は、前記予測手段の予測結果に基づいて、前記通気制限手段による通気制限態様を変更することを特徴とする請求項１乃至４のいずれか１項に記載の建物の温度調整システム。
【請求項６】
前記第１空間部に人が居る場合に、該人が所在している状態を取得する状態取得手段と、
前記状態取得手段により取得された所在している状態に基づいて前記温度差判定値を可変に設定する手段と
を備えていることを特徴とする請求項１乃至５のいずれか１項に記載の建物の温度調整システム。
【請求項７】
前記第１空間部に人が居る場合に、該人の生体情報を取得する生体情報取得手段と、
前記生体情報取得手段により取得された人の生体情報に基づいて前記温度差判定値を可変に設定する手段と
を備えていることを特徴とする請求項１乃至６のいずれか１項に記載の建物の温度調整システム。
【請求項８】
前記第１空間部側から前記ドアが開放されることを検出するドア開放検出手段と、
前記温度差算出手段により算出された温度差に関する情報を報知する報知手段と、
前記ドア開放検出手段により前記ドアの開放が検出された場合に前記報知手段に報知動作を行わせる報知制御手段と
を備えていることを特徴とする請求項１乃至７のいずれか１項に記載の建物の温度調整システム。
【発明の詳細な説明】
【技術分野】
【０００１】
本発明は、建物の温度調整システムに関するものである。
【背景技術】
【０００２】
住宅等の建物において部屋ごとの温度が異なる場合、人が複数の部屋の間を行き来する際にヒートショックが発生するおそれがある。これに対して、例えば特許文献１には、建物内空間において複数の部屋間の温度差を算出するとともにその温度差を表示部に表示する構成が記載されている。この構成によれば、住人等は温度差のある部屋間を移動する際にそれら部屋間の温度差に合わせて身支度を整えることができる。つまり、住人等は身支度を整えることで部屋間の移動に伴うヒートショックの発生を抑制することができる。
【先行技術文献】
【特許文献】
【０００３】
【特許文献１】特開２００５−２４９４４１号公報
【発明の概要】
【発明が解決しようとする課題】
【０００４】
しかしながら、建物内から屋外へ出る際に身支度を整えることはまだしも、建物内において部屋間を移動する際に身支度を整えることは住人にとって煩わしいことであると考えられる。また、上着を羽織ることで身支度を整える場合、羽織る上着の選択は住人等が行う必要があるため、その上着が部屋間の温度差に適していないことも想定される。したがって、部屋間を移動する際のヒートショックの発生を抑制する構成に関して改善の余地がある。
【０００５】
本発明は、建物内において人が複数の空間部を移動する際のヒートショックの発生を好適に抑制することを主たる目的とする。
【課題を解決するための手段】
【０００６】
上記課題を解決するために、第１の発明は、建物内空間として第１空間部と第２空間部とが設けられ、それら両空間部の人の行き来を可能とする出入口にドアが設けられている建物に適用され、前記第２空間部の少なくとも一部であって前記第１空間部との人の行き来が可能な特定空間部と、該特定空間部及び前記第１空間部とは異なる他空間部との間の空気の流れを制限する通気制限手段と、前記第１空間部と前記第２空間部の前記特定空間部との温度差を算出する温度差算出手段と、前記温度差算出手段により算出された温度差が所定の温度差判定値より大きい場合に前記通気制限手段を通気制限状態にする通気制限制御手段とを備えていることを特徴とする。
【０００７】
第１の発明によれば、第１空間部と第２空間部の特定空間部との温度差が所定値より大きい場合、通気制限手段が通気制限状態に移行することにより特定空間部と他空間部との間での空気の流れが制限される。この場合、特定空間部の温度が他空間部の温度に依存しにくくなるため、仮に他空間部にて温度変化が生じてもそれに伴う特定空間部の温度変化を抑制することができる。例えば、空調装置により第１空間部の温度が所定温度に保たれている状況において、第１空間部と特定空間部との温度差の増加を抑制できる。したがって、人が第１空間部と特定空間部との間を移動する際にヒートショックの発生を抑制することが可能となる。しかも、移動に際して身支度を整えるという煩わしさを感じさせることもない。
【０００８】
以上の結果、建物内において人が複数の空間部を移動する際においてヒートショックの発生を好適に抑制することができる。
【０００９】
第２の発明では、前記第１空間部の空調を行う第１空調装置を備え、前記通気制限制御手段は、前記第１空調装置により前記第１空間部の空調が行われている場合に、前記温度差算出手段により算出された温度差に基づいて前記通気制限手段を前記通気制限状態にする。
【００１０】
第１空間部の温度調整が行われている場合、第１空間部と第２空間部の特定空間部との温度差が大きくなりやすいため、第１空間部と特定空間部とを移動する際においてヒートショック発生が懸念される。この点、第２の発明によれば、第１空調装置により第１空間部の空調が行われている場合に、通気制限手段を通気制限状態にすること、つまり第１空間部に対する特定空間部の相対的な温度変化を抑制することが可能となる。したがって、ヒートショックの発生が懸念される場合にその懸念を解消することができる。
【００１１】
なお、前記通気制限制御手段は、前記第１空調装置が暖房運転されており、且つ前記特定空間部が前記第１空間部に対して前記温度差判定値よりも大きい温度差で低温である場合に、又は前記第１空調装置が冷房運転されており、且つ前記特定空間部が前記第１空間部に対して前記温度差判定値よりも大きい温度差で高温である場合に、前記通気制限手段を前記通気制限状態にすることが好ましい。この構成によれば、例えば第１空間部が暖房されている冬季において、人が第１空間部から特定空間部に移動する際（高温空間から低温空間に移動する際）にヒートショックが発生するという懸念を解消できる。また、例えば第１空間部が冷房されている夏季において、人が特定空間部から第１空間部に移動する際（高温空間から低温空間に移動する際）にヒートショックが発生するという懸念を解消できる。
【００１２】
第３の発明では、前記第２空間部のうち前記特定空間部の空調を行う第２空調装置を備え、前記通気制限手段は、前記第２空間部に設けられた空間仕切装置であり、該第２空間部を前記特定空間部と前記他空間部とに仕切る。
【００１３】
第３の発明によれば、通気制限手段により特定空間部を仕切形成した状態で、第２空調装置により特定空間部の空調を行うことが可能となる。ここで、特定空間部が仕切形成されていないと、第２空調装置から特定空間部に供給された空調空気が他空間部にも流れ込むことになるが、通気制限手段により特定空間部が仕切形成されていると、空調空気は他空間部に流れ込みにくくなるため、他空間部の空調を行わない分だけ特定空間部の空調効率を向上させることができる。また、第２空間部を特定空間部と他空間部とに仕切ることは、第２空調装置から空調空気が供給される空間を第２空間部よりも空間容積の小さい特定空間部に縮小化することになるため、特定空間部の空調効率をより一層向上させることができる。
【００１４】
なお、例えば、第２空間部において人が通りそうな場所や人の用事がありそうな場所を特定空間部として想定しておき、その特定空間部について空調を行うとよい。これにより、第１空間部から第２空間部の特定空間部に人が移動した場合のヒートショックを抑制する。ちなみに、第２空間部が通路である場合には例えばトイレに通じる場所を特定空間部として想定し、第２空間部が居室である場合にはテレビ周辺を特定空間部として想定し、第２空間部が寝室である場合にはベッド周辺を特定空間部として想定する。
【００１５】
第４の発明では、前記第２空間部は前記第１空間部に通じる通路部である。
【００１６】
第４の発明によれば、通気制限手段により通路部を特別空間部と他空間部とに仕切ることが可能であるため、人が通る場所が特別空間部だけであれば、通気制限手段により仕切っても通路部の使い勝手が悪くならない状態で特別空間部の空調効率を向上させることができる。したがって、人が部分的に使用する（通る）ことが多い通路部が第２空間部とされることは、人が全体的に使用することが多いリビング等の居室空間が第２空間部とされることに比べて有効である。
【００１７】
第５の発明では、建物内空間として前記通路部に通じる第３空間部が設けられており、前記通路部は、前記第１空間部から前記第３空間部に通じる第１通路部と、該第１通路部から分岐して設けられ前記第３空間部以外に通じる第２通路部とを有する分岐通路であり、前記通気制限手段は、前記第１通路部から前記第２通路部に繋がる分岐口に設けられており、前記通路部を前記第１通路部と前記第２通路部とに仕切る。
【００１８】
第５の発明によれば、通路部においては第１通路部が第１空間部と第３空間部とに通じているため、通気制限手段により通路部を第１通路部と第２通路部とに仕切っても、人が第１空間部と第３空間部とを行き来する際に第１通路部の使い勝手が悪くならない。
【００１９】
なお、第３空間部がトイレである場合、人が第１空間部とトイレとを通路部を通って行き来する際においてヒートショック発生を抑制できる。
【００２０】
第６の発明では、前記通気制限制御手段は、あらかじめ定めた夜間時間帯において、前記温度差算出手段により算出された温度差に基づいて前記通気制限手段に前記第２空間部を仕切らせる。
【００２１】
第６の発明によれば、夜間において特定空間部の温度調整を行うことができる。特に冬季の夜間においては第１空間部と第２空間部との温度差が大きくなりやすく、第１空間部と第２空間部の特定空間部との出入りに際してヒートショック発生が懸念されるため、夜間において特定空間部の温度調整を行うことは効果的である。
【００２２】
第７の発明では、前記第１空間部からの人の行き先を予測する予測手段を備え、前記通気制限制御手段は、前記予測手段の予測結果に基づいて、前記通気制限手段による通気制限態様を変更する。
【００２３】
第７の発明によれば、第１空間部からの人の行き先に合わせて通気制限手段の仕切態様を変更することが可能であるため、第２空間部のうち人が通る最低限の領域を特別空間部として温度調整することが可能となる。この場合、第２空調装置による空調範囲を極力小さくすることができるため、特別空間部の空調に際して省エネルギ化を図ることができる。また、通気制限手段の仕切態様を変更することにより、特別空間部を人の移動に際して通気制限手段が支障とならないような大きさや形状とすることが可能となる。以上の結果、第２空間部を通る人の行き先の候補が複数存在している場合に、第２空間部の使い勝手が悪くなることを回避しつつ、第２空間部における特別空間部の空調効率を向上させることができる。
【００２４】
なお、前記通気制限手段による通気制限態様を変更する構成としては、前記空間仕切装置による前記第２空間部の仕切位置を複数定めておき、どこを仕切るのかを都度変更する構成が挙げられる。
【００２５】
第８の発明では、前記第１空間部に人が居る場合に、該人が所在している状態を取得する状態取得手段と、前記状態取得手段により取得された所在している状態に基づいて前記温度差判定値を可変に設定する手段とを備えている。
【００２６】
第１空間部において人が所在している状態によっては、その人が第１空間部の温度よりも高い温度の状況下にあることも考えられる。その状況としては、人がベッド等において布団をかぶった状態にある場合等が想定される。この点、第８の発明によれば、人の所在している状態に合わせて通気制限手段を通気制限状態にすることができる、つまり人の周辺の温度に合わせて特定空間部の温度変化を抑制することができるため、第１空間部の温度と人の周辺の温度とが同じでない場合でも、第１空間部から特定空間部に出た際のヒートショック発生を抑制することができる。
【００２７】
第９の発明では、前記第１空間部に人が居る場合に、該人の生体情報を取得する生体情報取得手段と、前記生体情報取得手段により取得された人の生体情報に基づいて前記温度差判定値を可変に設定する手段とを備えている。
【００２８】
人が第１空間部と特定空間部とを行き来する際において、ヒートショックの発生のしやすさはその人の健康状態や年齢などによって異なると考えられる。この点、第９の発明によれば、人の健康状態に合わせて通気制限手段を通気制限状態にすることができるため、ヒートショックの発生しやすい人が第１空間部と特定空間部とを行き来する際についてもヒートショック発生を好適に抑制できる。
【００２９】
第１０の発明では、前記第１空間部側から前記ドアが開放されることを検出するドア開放検出手段と、前記温度差算出手段により算出された温度差に関する情報を報知する報知手段と、前記ドア開放検出手段により前記ドアの開放が検出された場合に前記報知手段に報知動作を行わせる報知制御手段とを備えている。
【００３０】
第１０の発明によれば、人が第１空間部から特定空間部へ移動する際に、第１空間部と特定空間部との温度差に関する情報が報知される。この場合、第１空間部と特定空間部との温度差の増加が抑制されている状態において、さらに人が重ね着をするなど身支度を整えることが可能となるため、ヒートショック発生の可能性をより一層低減させることができる。
【図面の簡単な説明】
【００３１】
【図１】本実施形態における建物の平面図。
【図２】建物の温度調整システムの構成を示す図。
【図３】ヒートショック防止制御処理の処理手順を示すフローチャート。
【図４】報知制御処理の処理手順を示すフローチャート。
【発明を実施するための形態】
【００３２】
以下、本発明を具体化した一実施形態を図面に基づいて説明する。本実施形態では、一階部分と二階部分とを有する２階建て建物に具体化している。図１は建物１０の平面図、図２は建物１０の温度調整システムの構成を示す図である。なお、図１及び図２は建物１０の二階部分を示す図であり、図２は温度調整システムの電気的な構成の図示を含んでいる。
【００３３】
図１に示すように、住宅等の建物１０の二階部分には、寝室１１と、トイレ１２と、それら寝室１１及びトイレ１２に通じる廊下１５と、一階部分に通じる吹抜空間１６とが設けられている。寝室１１と廊下１５とは寝室出入口１９を介して通じており、寝室出入口１９には寝室ドア２２が設けられている。また、トイレ１２と廊下１５とはトイレ出入口２３を介して通じており、トイレ出入口２３にはトイレドア２４が設けられている。寝室ドア２２及びトイレドア２４は例えば開き戸となっている。ここでは、寝室１１が第１空間部に相当し、廊下１５及び吹抜空間１６が第２空間に相当し、トイレ１２が第３空間に相当する。また、第２空間のうち廊下１５が特定空間部に相当し、吹抜空間１６が他空間部に相当する。
【００３４】
吹抜空間１６には一階部分と二階部分との行き来を可能とする階段２５が設けられている。吹抜空間１６は廊下１５から廊下分岐口２６を介して分岐しており、階段２５は廊下分岐口２６を介して廊下１５に通じている。なお、廊下１５及び吹抜空間１６は建物１０において通路部を形成しており、廊下１５が第１通路部に相当し、吹抜空間１６が第２通路部に相当する。
【００３５】
廊下分岐口２６には吹抜空間１６及び廊下１５を仕切る空間仕切装置としてのカーテン装置３１が設けられている。図２に示すように、カーテン装置３１は、吹抜空間１６と廊下１５との境界に沿って延びているカーテンレール３２と、カーテンレール３２に沿って水平方向にスライド移動するカーテン３３とを有している。カーテンレール３２は廊下分岐口２６の上面に取り付けられており、廊下分岐口２６の幅寸法とほぼ同じになっている。
【００３６】
カーテン３３は、カーテン３３は布材により形成された布製カーテンとなっている。また、布材の表面には金属膜を付着させており、断熱性能が高められた断熱カーテンとなっている。カーテン３３は、その上下方向の寸法が廊下分岐口２６の上下寸法とほぼ同じとなっており、左右方向の寸法が廊下分岐口２６の幅寸法とほぼ同じとなっている。したがって、カーテン３３は、カーテンレール３２に沿わせて広げられることにより、吹抜空間１６と廊下１５との間での通気を制限するように廊下分岐口２６を閉鎖することになる。ちなみに、カーテン３３により廊下分岐口２６が閉鎖されている場合、吹抜空間１６と廊下１５との間での空気の流れは遮られるが、吹抜空間１６内での空気の流れや廊下１５内での空気の流れは遮られない。このように、カーテン装置３１において廊下１５と吹抜空間１６とを仕切った状態が通気制限状態に相当する。
【００３７】
カーテン装置３１は、電動式のカーテン装置となっており、電動モータを含んで構成されたカーテン駆動部３４を有している。カーテン装置３１においては、カーテン３３の上端が接続されたランナがカーテン駆動部３４の駆動に伴ってカーテンレール３２に沿って移動し、それによってカーテン３３による廊下分岐口２６の開閉が行われる。
【００３８】
なお、カーテンレール３２及びカーテン３３の各幅寸法は廊下分岐口２６の幅寸法より小さくされていても大きくされていてもよい。また、カーテン装置３１が廊下分岐口２６よりも廊下１５側に設けられている場合、カーテンレール３２及びカーテン３３は廊下分岐口２６の幅寸法より大きくされていることが好ましい。これは、カーテン３３が廊下１５側又は吹抜空間１６側から廊下分岐口２６を覆う状態で閉鎖することができるためである。
【００３９】
建物１０においては、寝室１１、トイレ１２及び廊下１５の空調を行う空調設備が設けられている。具体的には、それら寝室１１、トイレ１２及び廊下１５には寝室エアコン４１、トイレエアコン４２、及び第２空調装置としての廊下エアコン４３がそれぞれ設けられている。寝室エアコン４１、トイレエアコン４２及び廊下エアコン４３は個別に動作させることが可能となっており、それらエアコン４１〜４３により寝室１１、トイレ１２及び廊下１５は個別に空調される。なお、寝室エアコン４１が第１空調装置に相当し、廊下エアコン４３が第２空調装置に相当する。
【００４０】
本実施形態の建物１０においては、廊下１５と寝室１１との温度差を取得するとともに、その温度差が小さくなるように廊下１５の温度調整を行う温度調整システムが構築されている。これにより、住人等が寝室１１と廊下１５とを行き来する際において、ヒートショックが発生することを抑制するようにしている。なお、寝室エアコン４１の暖房運転により寝室１１の温度が廊下１５の温度より高くなっている状態で人が寝室１１から廊下１５に移動して寒さを感じた場合や、寝室エアコン４１の冷房運転により寝室１１の温度が廊下１５の温度より低くなっている状態で人が廊下１５から寝室１１に入って涼しさを感じた場合などに、ヒートショックが発生しやすいと想定している。
【００４１】
まず、建物１０の温度調整システムに関する電気的な構成について説明する。
【００４２】
温度調整システムは、カーテン装置３１や各エアコン４１〜４３の動作制御を行う制御手段としてコントローラ５１を有している。コントローラ５１は、ＣＰＵや各種メモリ等からなるマイクロコンピュータを含んで構成されており、温度調整システムに関する情報を記憶する記憶部５２を有している。
【００４３】
コントローラ５１には、カーテン駆動部３４、寝室エアコン４１、トイレエアコン４２及び廊下エアコン４３が接続されており、コントローラ５１は指令信号を出力することによりそれらカーテン駆動部３４やエアコン４１〜４３の動作制御を行う。ただし、寝室エアコン４１は、例えば操作リモコンが人に操作されることにより空調運転を行うことが可能となっており、現在の運転状態に関する情報を検出信号としてコントローラ５１に対して出力する。
【００４４】
コントローラ５１には、寝室１１の温度を検出する寝室温度センサ５５と、廊下１５の温度を検出する廊下温度センサ５７とが接続されている。各温度センサ５５，５７はそれぞれ例えば壁面に取り付けられており、検出信号をコントローラ５１に対して出力する。
【００４５】
コントローラ５１には、寝室１１おける寝室出入口１９付近を検知範囲とする寝室人感センサ６１と、寝室１１の壁面に対して取り付けられた操作盤６３とが接続されている。寝室人感センサ６１は、寝室１１において例えば寝室出入口１９付近の天井面に対して取り付けられており、廊下１５に出るために寝室出入口１９に近づいた人を検出するとともに、検出信号をコントローラ５１に対して出力する。つまり、寝室人感センサ６１は人が寝室１１から退出することを検出する退出検出手段となっている。なお、退出検出手段としては、寝室人感センサ６１の他に、寝室ドア２２における寝室１１側のドアノブに人が触れたことやドアノブが開状態とされたことを検出するドアノブセンサなどが挙げられる。
【００４６】
操作盤６３は、住人等により入力操作される操作部６４と、温度調整システムに関する情報を表示する表示モニタ６５と、報知音声を出力する報知スピーカ６６とを有している。操作部６４は入力操作の内容を検出するとともに検出信号をコントローラ５１に対して出力し、表示モニタ６５及び報知スピーカ６６はコントローラ５１により動作制御される。コントローラ５１においては、操作部６４からの検出信号に基づいて、温度調整システムの制御モードに関する情報や、寝室１１にいる人の健康状態に関する情報を取得する。制御モードとしては、通常モードと、住人等の健康状態をパラメータに含む健康重視モードと、省エネルギ化を目的とした省エネモードとが設定可能となっている。健康状態に関する情報には、体調についての情報だけでなく年齢や性別についての情報も含まれている。
【００４７】
なお、人の生体情報を検出する生体センサがコントローラ５１に接続されており、コントローラ５１が生体センサからの検出信号に基づいて人の健康状態に関する情報を取得する構成としてもよい。生体センサとしては、例えばベッドのマットレスや枕に設けられ、ベッドで寝ている人の体温や心拍数などを生体情報として検出する生体情報検出手段が挙げられる。
【００４８】
次に、コントローラ５１において実行されるヒートショック防止制御処理について、図３及び図４を参照しつつ説明する。ヒートショック防止制御処理は、夜間時間帯（例えば午後１０時〜午前６時といった就寝時間帯）において所定周期で繰り返し実行される。ちなみに、就寝時間帯以外においては、カーテン３３は開放されており、廊下エアコン４３及びトイレエアコン４２は停止状態とされている。
【００４９】
図３において、ステップＳ１０１では、寝室エアコン４１、各温度センサ５５，５７、寝室人感センサ６１、操作部６４の各検出信号を取得する。ステップＳ１０２〜Ｓ１１４では温度制御処理を行う。温度制御処理においてステップＳ１０２では、寝室エアコン４１の運転により寝室１１の温度調整が行われているか否かを判定する。寝室エアコン４１が停止している場合、ヒートショック対策を行う必要がないとしてそのまま温度制御処理を終了し、寝室エアコン４１が運転している場合、ステップＳ１０３に進む。
【００５０】
ステップＳ１０３では、寝室温度センサ５５及び廊下温度センサ５７の各検出信号に基づいて寝室１１及び廊下１５の温度をそれぞれ算出するとともに、それら寝室１１と廊下１５との温度差である廊下温度差ΔＴを算出する。ステップＳ１０４では、操作盤６３の検出信号に基づいて現在の制御モードを取得する。ステップＳ１０５では、制御モードが通常モード又は省エネモードに設定されているか否かを判定し、通常モード又は省エネモードである場合、ステップＳ１０６に進む。ステップＳ１０６では、廊下１５の温度調整が必要であるか否かの判定を行うための温度差判定値としての判定値Ｓを第１閾値Ｓ１に設定する。第１閾値Ｓ１は廊下温度差ΔＴと比較する値であり、例えば６℃とする。
【００５１】
ステップＳ１０７では、廊下温度差ΔＴが判定値Ｓより大きいか否かを判定する。つまり、廊下温度差ΔＴが第１閾値Ｓ１より大きいか否かを判定する。廊下温度差ΔＴが判定値Ｓより大きくない場合、廊下１５の温度調整を行う必要がないとしてそのまま温度制御処理を終了し、廊下温度差ΔＴが判定値Ｓより大きい場合、ステップＳ１０８に進む。
【００５２】
ステップＳ１０８ではカーテン装置３１を閉鎖状態に移行させて廊下分岐口２６を閉鎖する。つまり、カーテン３３に廊下１５と吹抜空間１６とを仕切らせる。ステップＳ１０９では、制御モードが省エネモードであるか否かを判定し、省エネモードでない場合、つまり通常モードである場合、ステップＳ１１０に進み、廊下エアコン４３及びトイレエアコン４２の運転を行う。
【００５３】
なお、ここでは廊下１５とトイレ１２とはほぼ同じ温度であると想定して、廊下エアコン４３及びトイレエアコン４２の動作制御を同じとする。これにより、廊下１５とトイレ１２とをほぼ同じ温度に調整することができる。ちなみに、寝室１１より廊下１５の温度が低い場合や寝室エアコン４１が暖房運転中である場合には廊下エアコン４３及びトイレエアコン４２に暖房運転を行わせ、寝室１１より廊下１５の温度が高い場合や寝室エアコン４１が冷房運転中である場合には廊下エアコン４３及びトイレエアコン４２に冷房運転を行わせる。
【００５４】
一方、制御モードが省エネモードである場合、廊下エアコン４３及びトイレエアコン４２を運転させないとしてそのまま温度制御処理を終了する。この場合、通常モードである場合に比べて、廊下エアコン４３及びトイレエアコン４２を運転させない分だけ省エネルギ化を図ることができる。
【００５５】
ステップＳ１０５において、制御モードが通常モード及び省エネモードのいずれでもない場合、ステップＳ１１１に進み、制御モードが健康重視モードであるか否かを判定する。健康重視モードでない場合、廊下１５の温度調整が必要ないとしてそのまま温度制御処理を終了し、健康重視モードである場合、ステップＳ１１２に進む。
【００５６】
ステップＳ１１２では、操作部６４の検出信号に基づいて人の健康状態を取得し、ステップＳ１１３では、人の健康状態が良好であるか否かを判定する。健康状態が良好である場合、ステップＳ１０６にて判定値Ｓを第１閾値Ｓ１に設定し、それ以降のステップにおいて制御モードが通常モードにある場合と同様の制御処理を行う。これに対して、健康状態が良好でない場合、ステップＳ１１４に進み、判定値Ｓを第１閾値Ｓ１より小さい第２閾値Ｓ２に設定する。第２閾値Ｓ２は例えば２℃とする。その後、制御モードが通用モードにある場合と同様の制御処理を行う。つまり、廊下エアコン４３及びトイレエアコン４２に暖房運転又は冷房運転を行わせる。この結果、制御モードが健康重視モードにある場合、通常モードにある場合に比べて廊下温度差ΔＴが小さくされるため、ヒートショック発生の可能性を低減させることになる。
【００５７】
ステップＳ１１５では報知制御処理を行う。報知制御処理については図４を参照しつつ説明する。
【００５８】
図４において、ステップＳ２０１では、寝室人感センサ６１の検出信号に基づいて寝室１１からの人の退出の有無を判定する。人が寝室１１から退出する場合、ステップＳ２０２に進み、退出者が身支度をする必要があるか否かを判定する。例えば、健康状態が良好であるか否かを判定するとともに、廊下温度差ΔＴが第１閾値Ｓ１より大きいか否か及び第２閾値Ｓ２より大きいか否かを判定し、健康状態が良好でなく且つ廊下温度差ΔＴが第２閾値Ｓ２より大きい場合、及び健康状態が良好であっても廊下温度差ΔＴが第１閾値Ｓ１より大きい場合に重ね着の必要があると判定する。
【００５９】
身支度の必要がある場合、ステップＳ２０３に進み、廊下温度差ΔＴや健康状態に基づいて衣類設定を行う。例えば廊下温度差ΔＴに応じて保温性の異なる衣類を重ね着用として設定する。また、健康状態が良好であれば薄手の衣類を重ね着用として設定し、良好でなければ厚手の衣類を設定する。ステップＳ２０４では、報知スピーカ６６を動作させることにより報知処理を行う。報知処理では、例えば廊下温度差ΔＴを知らせる音声や、重ね着を推奨する音声、重ね着用として設定した衣類を知らせる音声などを報知スピーカ６６から出力させる。
【００６０】
一方、人が寝室１１から退出しない場合（ステップＳ２０１がＮＯ判定の場合）や、重ね着が必要ない場合（ステップＳ２０２がＮＯ判定の場合）は、重ね着推奨の報知を行わないとしてそのまま報知制御処理を終了する。
【００６１】
以上詳述した本実施形態によれば、以下の優れた効果が得られる。
【００６２】
温度調整システムの制御モードが通常モードに設定されており、寝室エアコン４１の運転中に寝室１１と廊下１５との廊下温度差ΔＴが第１閾値Ｓ１より大きくなった場合、カーテン装置３１により廊下１５と吹抜空間１６とが仕切られるとともに、廊下エアコン４３の空調運転が行われる。この場合、廊下エアコン４３により廊下１５の温度を寝室１１の温度に近づけることが可能となるため、寝室暖房時に人が寝室１１から廊下１５に出る際や、寝室冷房時に人が廊下１５から寝室１１に入る際においてヒートショックの発生を抑制できる。また、この場合、廊下エアコン４３から供給された空調空気が廊下１５から吹抜空間１６に流出しにくくなる、すなわち空調空気の供給先が廊下１５の容積に限定されるため、廊下１５における空調効率が高められる。
【００６３】
制御モードが省エネモードに設定されており、寝室エアコン４１の運転中に廊下温度差ΔＴが第１閾値Ｓ１より大きくなった場合、廊下エアコン４３による空調を行わない状態で、カーテン装置３１により廊下１５と吹抜空間１６とが仕切られる。この場合、廊下１５の温度が吹抜空間１６の温度に依存しにくくなるため、例えば冬季の夜間において吹抜空間１６の温度が低下しても廊下１５の温度が低下しにくくなる。つまり、廊下温度差ΔＴの増加が抑制される。したがって、人が寝室１１から廊下１５に出る際においてヒートショックの発生を抑制できる。また、制御モードが通常モードに設定されている場合に比べて、廊下エアコン４３の運転が行われない分だけ省エネルギ化を図ることができる。
【００６４】
制御モードが健康重視モードに設定されており且つ人の健康状態が良好でない状態で、廊下温度差ΔＴが第２閾値Ｓ２より大きくなった場合、カーテン装置３１により廊下１５と吹抜空間１６とが仕切られるとともに、廊下エアコン４３の空調運転が行われる。ここで、第２閾値Ｓ２は第１閾値Ｓ１より小さく設定されているため、健康重視モード時の方が通常モード時に比べて廊下温度差ΔＴが小さくされる。したがって、寝室１１と廊下１５とを行き来する人の健康状態が良好でなくても、廊下温度差ΔＴを極力小さくすることによりヒートショック発生の可能性を低減させることができる。
【００６５】
以上の結果、建物１０内において寝室１１と廊下１５とを移動する際において、人が重ね着をするなど身支度を整えなくてもヒートショックの発生を好適に抑制することができる。
【００６６】
寝室エアコン４１により寝室１１の空調が行われている場合、すなわち寝室１１の温度と廊下１５の温度との差が増加しやすい場合に、廊下１５の温度調整を行うことが可能となっている。つまり、寝室１１と廊下１５とを行き来する際においてヒートショックの発生が懸念される場合にその懸念を解消することが可能となっている。また、常に廊下１５の温度調整が行われる構成に比べて省エネルギ化を図ることができる。
【００６７】
廊下１５の空調が行われる場合、カーテン３３により廊下１５と吹抜空間１６とが仕切られている。この場合、廊下エアコン４３から供給された空調空気が吹抜空間１６に流れ出ることが制限されるため、吹抜空間１６に空調空気が流れ出ない分だけ省エネルギ化を図ることができる。換言すれば、廊下１５及び吹抜空間１６の両方の空調を行う場合に比べて省エネルギ化を図ることができる。また、この場合、廊下エアコン４３からの空調空気が供給される空間の容積が、廊下１５と吹抜空間１６とが仕切られていない場合に比べて縮小化されるため、廊下１５の空調効率をより一層向上させることができる。
【００６８】
廊下１５と吹抜空間１６とがカーテン３３により仕切られるため、廊下エアコン４３から供給された空調空気が吹抜空間１６を通じて下階へ流れ出にくくなる。したがって、建物１０において複数の空間に通じている通路部としての廊下１５及び吹抜空間１６（廊下１５）を仕切ることは、通路部の一部（廊下１５）の温度調整を行う際に有効である。
【００６９】
廊下１５が寝室１１及びトイレ１２に通じているため、廊下エアコン４３の運転により廊下１５全体が空調される。したがって、人が寝室１１とトイレ１２とを行き来する際に廊下１５にて温度差を感じることがない。つまり、廊下１５の移動に際してヒートショックが発生することを抑制できる。また、カーテン３３により廊下１５と吹抜空間１６とを仕切っていても、人が寝室１１とトイレ１２とを行き来する場合にカーテン３３が支障にならないため、廊下１５の空調効率を高めつつ、廊下１５やトイレ１２の使い勝手が悪くなることを回避できる。
【００７０】
夜間時間帯において廊下１５及びトイレ１２の温度制御処理が行われるため、寝室１１で就寝していた人が夜中に起きてトイレ１２に行くに際してヒートショックの発生を抑制できる。特に、冬季において寝室１１が暖房されている場合、夜間は寝室１１と廊下１５やトイレ１２との温度差が大きくなりやすいため、夜間に廊下１５及びトイレ１２の温度調整を行うことは効果的である。
【００７１】
寝室１１に通じる廊下１５を対象として温度調整が行われるため、就寝時間帯などにおいて寝室１１における人の滞在時間が長くなり寝室１１の温度に身体が慣れている状態でも、寝室１１から廊下１５に移動した際におけるヒートショックの発生を抑制できる。また、滞在時間がある程度の長さに達するトイレ１２では、一時的に通過するだけの廊下１５に比べて、寝室１１との温度差による影響が身体に対して与えられやすいと考えられるが、トイレ１２を対象として温度調整が行われるため、寝室１１からトイレ１２に移動した際のヒートショックの発生を抑制できる。以上のように、廊下１５やトイレ１２への移動に際してヒートショック発生を抑制することは日常生活において効果的である。
【００７２】
廊下１５と吹抜空間１６とを仕切るのがカーテン３３であるため、カーテン３３の少なくとも一部を開放させることやカーテン３３を捲り上げてその下をくぐることにより、人は廊下１５と吹抜空間１６とを容易に行き来することができる。したがって、廊下１５と吹抜空間１６とを仕切った状態において、廊下１５や吹抜空間１６の使い勝手が低下することを回避できる。
【００７３】
トイレエアコン４２が廊下エアコン４３と同じように動作制御されるため、トイレ１２と廊下１５との温度差が大きくなりにくくなっている。したがって、寝室１１と廊下１５との出入りだけでなく廊下１５とトイレ１２との出入りに際してもヒートショックの発生を抑制することができる。つまり、寝室１１とトイレ１２との行き来に際してヒートショックの発生を抑制することができる。
【００７４】
寝室１１と廊下１５やトイレ１２との温度差に関する情報や、重ね着を推奨する音声、重ね着として推奨する衣類を知らせる音声が報知スピーカ６６から報知されるため、人は寝室１１において重ね着をするなど身支度を整えてから廊下１５やトイレ１２に行くことが可能となる。したがって、仮に寝室１１と廊下１５やトイレ１２との温度差が大きい場合でも、服装によりヒートショック発生を抑制できる。
【００７５】
（他の実施形態）
本発明は上記実施形態の記載内容に限定されず、例えば次のように実施してもよい。
【００７６】
（１）空間仕切装置としてのカーテン装置３１は、廊下１５と吹抜空間１６とを仕切るのではなく、廊下１５を複数に仕切る構成としてもよい。例えば、廊下１５の中間位置に寝室出入口１９とトイレ出入口２３とが設けられており、カーテン装置３１が、寝室出入口１９及びトイレ出入口２３を連通する第１通路部とそれ以外の第２通路部とに廊下１５を仕切る構成とする。この構成によれば、人が寝室１１とトイレ１２とを行き来する場合に、廊下１５において人が通る領域（第１通路部）だけを温度調整することができる。つまり、廊下エアコン４３による空調範囲を極力小さくすることができるため、廊下１５のうち第１通路部の空調に際して省エネルギ化を図ることができる。しかも、この場合、寝室１１とトイレ１２との行き来に際して人が第１通路部と第２通路部との境界部を通る必要がないため、カーテン３３が人の移動の支障になることもない。
【００７７】
（２）空間仕切装置としてのカーテン装置３１は、廊下１５及び吹抜空間１６といった屋内空間を仕切るのではなく、屋内空間と屋外空間とを仕切ってもよい。例えば、廊下１５に窓部が形成されており、カーテン装置３１が窓部を閉鎖する構成とする。ここでは、廊下１５が特定空間部に相当し、屋外空間が他空間部に相当する。この場合でも、廊下１５と屋外空間との間での通気が制限されるため、廊下１５の温度が外気温に依存しにくくなり、第１空間部としての寝室１１と廊下１５との温度差が大きくなることを抑制できる。つまり、寝室１１と廊下１５との出入りに際してヒートショック発生を抑制できる。
【００７８】
（３）上記実施形態では、寝室１１と廊下１５との廊下温度差ΔＴに基づいて廊下１５の温度調整を行う構成としたが、温度調整が行われる特定空間部を廊下でなく、リビング等の居室空間や脱衣室などとしてもよい。また、第１空間部と特定空間部とは廊下等を介して行き来可能な構成となっていてもよい。
【００７９】
（４）空間仕切装置としてのカーテン装置３１の仕切態様が可変とされる構成としてもよい。例えば、カーテン装置３１による第２空間部の仕切位置を複数設定しておく。具体的には、廊下１５及び吹抜空間１６においてカーテン装置３１を複数設置し、廊下分岐口２６の他に廊下１５や吹抜空間１６を仕切ることが可能な構成とする。
【００８０】
また、この場合、寝室１１からの人の行き先を予測する予測手段を備え、コントローラ５１が予測手段の予測結果に基づいてカーテン装置３１による仕切位置を可変設定する構成としてもよい。この場合、コントローラ５１が人の通る経路を遮らないようにカーテン装置３１の仕切位置を設定することにより、人の移動に際してカーテン３３が支障となることを回避できる。つまり、人の行き先の候補が複数存在している場合に、廊下１５や吹抜空間１６の使い勝手が悪くなることを回避しつつ、特別空間部の空調効率を向上させることができる。なお、予測手段はコントローラ５１であり、例えば記憶部５２に記憶された人の行動予定に基づいて人の行き先を予測することが好ましい。
【００８１】
（５）空間仕切装置としてのカーテン装置３１は廊下１５や吹抜空間１６といった第２空間部を左右に仕切るのではなく、上下に仕切ってもよい。例えば、カーテン装置３１が吹抜空間１６を一階部分側と二階部分側とに仕切る構成とする。
【００８２】
（６）通気制限手段は、空間仕切装置としてのカーテン装置３１でなくてもよい。要は、特定空間部と他空間部との通気を制限する手段であればよい。通気制限手段としては、例えば、分岐口を閉鎖することが可能な引き戸や開き戸などの開閉体、特定空間部と他空間部との境界部に沿って空気を噴出すことによりそれら空間部の通気を制限するエアカーテンなどが挙げられる。
【００８３】
（７）寝室１１に人が居る場合に、人が所在している状態に合わせて廊下１５の温度調整を行う構成としてもよい。例えば、寝室１１において人が所在している状態を取得する状態取得手段を備え、コントローラ５１が状態検出手段の検出結果に基づいて、廊下１５の温度調整を行うか否かの判定値Ｓを可変設定する構成とする。この構成によれば、寝室１１において人が布団で就寝している場合に、判定値Ｓを例えば第２閾値Ｓ２より小さい値に設定することができる。
【００８４】
ここで、人がベッド等において布団をかぶった状態で就寝している場合、布団内部の温度は寝室１１の温度より高い、つまり冬季においては布団内部と廊下１５との温度差が寝室１１と廊下１５との温度差より大きいと考えられる。この場合、判定値Ｓを小さい値に設定することにより、寝室１１と廊下１５との温度差が第２閾値Ｓ２より小さくても廊下１５の温度調整を行うことができる。つまり、布団内部と廊下１５との温度差を小さくすることができる。この結果、就寝中の人が起きて廊下１５に出た際において、布団内部と廊下１５との温度差によってヒートショックが発生するという不都合を抑制できる。なお、状態検出手段はコントローラ５１であり、記憶部５２に記憶された人の行動予定に基づいて人の所在している状態（就寝していること）を取得することが好ましい。
【００８５】
（８）上記実施形態では、ヒートショック防止制御処理は就寝時間帯に実行される構成としたが、日中に実行される構成としてもよい。例えば、ヒートショック防止制御処理が、吹抜空間１６や廊下１５、屋外の温度が上昇しやすい夏季の昼間に実行される構成とする。この場合、寝室エアコン４１の冷房運転により寝室１１の温度が調整されている状態であっても、廊下１５の温度が上昇することを抑制できる。この結果、温度の高い廊下１５から温度の低い寝室１１に入った際にヒートショックが発生することを抑制できる。
【００８６】
また、ヒートショック防止制御処理は、人の居場所や生活パターンに合わせて実行される構成としてもよい。例えば、人が一階部分にいる場合には二階部分において廊下１５やトイレ１２の温度調整は行わない構成とする。また、脱衣室に脱衣室エアコンが設けられ、且つ脱衣室の窓を閉鎖する窓装置が設けられており、入浴時間帯である場合には窓装置により窓を閉鎖させるとともに脱衣室エアコンに脱衣室の空調を行わせる構成とする。
【符号の説明】
【００８７】
１０…建物、１１…第１空間部としての寝室、１２…第３空間部としてのトイレ、１５…第２空間部及び特定空間部としての廊下、１６…第２空間部及び他空間部としての吹抜空間、１９…出入口としての寝室出入口、２２…ドアとしての寝室ドア、２６…分岐口としての廊下分岐口、３１…通気制限手段及び空間仕切装置としてのカーテン装置、４１…第１空調装置としての寝室エアコン、４３…第２空調装置としての廊下エアコン、５１…温度差算出手段、通気制限制御手段、生体情報取得手段及び報知制御手段としてのコントローラ、６１…ドア開放検出手段としての寝室人感センサ、６６…報知手段としての報知スピーカ。
【図１】
0005496587.tif 000002
【図２】
0005496587.tif 000003
【図３】
0005496587.tif 000004
【図４】
0005496587.tif 000005